(57)【特許請求の範囲】
【請求項１】
屋根瓦を取り付けるため屋根勾配に合わせて張設された左右の野地板と、棟部において該左右の野地板間に形成された通気間隙と、冠瓦取付のため及び通気口形成のため棟部において上記野地板上に上記通気間隙を跨ぐように取り付けられた棟用下地桟と、上記野地板上に取り付けられた屋根瓦と、上記棟用下地桟上に取り付けられた冠瓦とを有し、
上記棟用下地桟は、上記冠瓦を取り付けるための桟本体と、該桟本体を上記野地板上に上記通気間隙を跨ぐように固定するための左右一対の脚部材とからなっていて、複数の棟用下地桟が長さ方向に順次連結された状態で上記棟部に取り付けられ、この棟用下地桟において、上記脚部材を上記桟本体より短く形成することにより、隣接する棟用下地桟の脚部材間に上記通気間隙を屋外に連通させるための上記通気口としての隙間が形成され、
上記桟本体は、上記冠瓦が載置、固定される山形の瓦受部と、該瓦受部の下面から相互に間隔を保って下向きに延びる左右の側壁部とを一体に有し、該左右の側壁部の下端に上記脚部材が上記野地板の傾斜に合わせて角度調整可能なるように連結され、
上記脚部材は、上記野地板に固定するための固定部に、最上段の屋根瓦が係止する瓦桟を一体に有する、
ことを特徴とする瓦屋根。
【請求項２】
上記桟本体の側壁部と上記脚部材とが、一方に設けられた円弧状の連結用凹溝と他方に設けられた部分円柱状の連結用凸条との嵌合によって角度調整可能に連結されていることを特徴とする請求項１に記載の瓦屋根。
【請求項３】
屋根瓦を取り付けるための野地板上に棟部の位置で取り付けられ、冠瓦の取り付けと屋内外を連通させる通気口の形成とに用いられる棟用下地桟であって、
上記棟用下地桟は、上記冠瓦を取り付けるための桟本体と、該桟本体を上記野地板上に固定するための左右一対の脚部材とからなり、
上記脚部材の長さを上記桟本体の長さより短く形成することにより、複数の棟用下地桟を長さ方向に順次連結したとき隣接する棟用下地桟の脚部材間に屋内外を連通させる通気口としての隙間が形成されるように構成され、
上記桟本体は、上記冠瓦が載置、固定される山形の瓦受部と、該瓦受部の下面から相互に間隔を保って下向きに延びる左右の側壁部とを一体に有し、
上記脚部材は、上記左右の側壁部の下端にそれぞれ上記野地板の傾斜に合わせて角度調整可能なるように連結されていて、上記野地板に固定するための固定部に、最上段の屋根瓦を係止させるための瓦桟を一体に有する、
ことを特徴とする瓦屋根における棟用下地桟。
【請求項４】
上記桟本体の側壁部と上記脚部材とが、一方に設けられた円弧状の連結用凹溝と他方に設けられた部分円柱状の連結用凸条との嵌合によって角度調整可能に連結されていることを特徴とする請求項３に記載の棟用下地桟。
【発明の詳細な説明】
【技術分野】
【０００１】
本発明は建物の瓦屋根に関するものであり、更に詳しくは、瓦屋根の棟部における冠瓦の支持構造と通気構造とに関するものである。
【背景技術】
【０００２】
住宅等の建物の瓦屋根は、一般に、屋根勾配に合わせて張設された左右の野地板上に、複数の屋根瓦が軒先側から棟側に向けて一部を重ね合わせた状態で多段状に取り付けられると共に、屋根の頂部即ち棟部に、複数の冠瓦が適宜の支持機構により該棟部に沿って取り付けられている。また、この支持機構に通気性を持たせることにより、棟部を通じて屋内の換気を行うことができるようになっている。
上記支持機構としては、特許文献１〜４に示すように、様々な構成のものが従来より用いられている。
【０００３】
しかし、上記従来の冠瓦用支持機構は、上記各特許文献に記載されているように、様々な形状や構造をした数多くの部品や材料を組み合わせて構成されているため、その構造が非常に複雑で施工が面倒であった。また、屋根勾配が異なる建物に共通に使用することができないため、屋根勾配に合った専用の部品や材料を用意しなければならず、それらの部品や材料等の管理も面倒であった。この結果、瓦屋根の棟部の構造が複雑化し、施工に多大な手間と時間とを要するという欠点があった。
【先行技術文献】
【特許文献】
【０００４】
【特許文献１】特開２００６−３４８５２５号公報
【特許文献２】特開２００７−３３２５３６号公報
【特許文献３】特開２００８−８８７５７号公報
【特許文献４】特開２００８−１５０７９８号公報
【発明の概要】
【発明が解決しようとする課題】
【０００５】
本発明の課題は、瓦屋根の棟部における冠瓦の支持構造と通気構造とを簡略化すると共に、その施工を簡単かつ短時間に行うことができるようにすることにある。
【課題を解決するための手段】
【０００６】
上記課題を解決するため本発明によれば、屋根瓦を取り付けるため屋根勾配に合わせて張設された左右の野地板と、棟部において該左右の野地板間に形成された通気間隙と、冠瓦取付のため及び通気口形成のため棟部において上記野地板上に上記通気間隙を跨ぐように取り付けられた棟用下地桟と、上記野地板上に取り付けられた屋根瓦と、上記棟用下地桟上に取り付けられた冠瓦とを有し、上記棟用下地桟は、上記冠瓦を取り付けるための桟本体と、該桟本体を上記野地板上に上記通気間隙を跨ぐように固定するための左右一対の脚部材とからなっていて、複数の棟用下地桟が長さ方向に順次連結された状態で上記棟部に取り付けられ、この棟用下地桟において、上記脚部材を上記桟本体より短く形成することにより、隣接する棟用下地桟の脚部材間に上記通気間隙を屋外に連通させるための上記通気口としての隙間が形成され、上記桟本体は、上記冠瓦が載置、固定される山形の瓦受部と、該瓦受部の下面から相互に間隔を保って下向きに延びる左右の側壁部とを一体に有し、該左右の側壁部の下端に上記脚部材が上記野地板の傾斜に合わせて角度調整可能なるように連結され、上記脚部材は、上記野地板に固定するための固定部に、最上段の屋根瓦が係止する瓦桟を一体に有することを特徴とする瓦屋根が提供される。
【０００７】
また、上記課題を解決するため、本発明によれば、屋根瓦を取り付けるための野地板上に棟部の位置で取り付けられ、冠瓦の取り付けと屋内外を連通させる通気口の形成とに用いられる棟用下地桟が提供される。この棟用下地桟は、上記冠瓦を取り付けるための桟本体と、該桟本体を上記野地板上に固定するための左右一対の脚部材とからなり、上記脚部材の長さを上記桟本体の長さより短く形成することにより、複数の棟用下地桟を長さ方向に順次連結したとき隣接する棟用下地桟の脚部材間に屋内外を連通させる通気口としての隙間が形成されるように構成され、上記桟本体は、上記冠瓦が載置、固定される山形の瓦受部と、該瓦受部の下面から相互に間隔を保って下向きに延びる左右の側壁部とを一体に有し、上記脚部材は、上記左右の側壁部の下端にそれぞれ上記野地板の傾斜に合わせて角度調整可能なるように連結されていて、上記野地板に固定するための固定部に、最上段の屋根瓦を係止させるための瓦桟を一体に有することを特徴とする瓦屋根における棟用下地桟が提供される。
【０００８】
本発明において好ましくは、上記棟用下地桟における桟本体の側壁部と脚部材とが、一方に設けられた円弧状の連結用凹溝と他方に設けられた部分円柱状の連結用凸条との嵌合によって角度調整可能に連結されていることである。
【発明の効果】
【００１０】
本発明においては、棟用下地桟を使用した冠瓦の支持構造と通気構造とが非常に簡略化されており、その施工を簡単かつ迅速に行うことができる。特に、上記棟用下地桟は、冠瓦を支持する桟本体と、この桟本体を野地板に固定するための脚部材とにより形成されているため、部品数が非常に少なく、その製造や取り扱いが簡単で、施工性にも勝れ、大幅なコストダウンを図ることができる。
【図面の簡単な説明】
【００１１】
【図１】建物の瓦屋根における棟部とその周辺の構造を示す断面図である。
【図２】図１の要部拡大図である。
【図３】棟用下地桟を一方の脚部材を分離して示す斜視図である。
【図４】図２のＩＶ−ＩＶ線における棟用下地桟の断面図である。
【発明を実施するための形態】
【００１２】
以下、本発明の一実施形態について詳細に説明する。図１及び図２は建物の瓦屋根における棟部とその周辺の構造を示すもので、図中の符号１は該棟部に配設された棟木を示している。この棟木１は、建物の長手方向（紙面と垂直な方向）に延びており、該棟木１には、左右の垂木２，２が、先端部同士を該棟木１上で付き合わせた状態で傾斜状態に固定されると共に、左右の垂木２，２を一組とする複数組の垂木群が、上記棟木１に沿って一定間隔で固定されている。
【００１３】
上記左右の垂木２，２の上には、屋根瓦３を取り付けるための左右の野地板４，４が、屋根勾配に合わせて棟側が高く軒先側が低くなる方向に傾斜した状態に張設されている。該左右の野地板４，４における棟側の上端部同士は互いに離間しており、それによって該左右の野地板４，４の上端部間に、屋内空間５に通じる通気間隙６が形成されている。
【００１４】
また、上記野地板４，４の上面には、複数の瓦桟７が該野地板４，４の勾配に沿って一定間隔で平行に取り付けられ、屋根瓦３の上端部下面に形成された突起３ａを上記瓦桟７に係止させると共に、ビス８で該屋根瓦３を該瓦桟７に固定することにより、複数の屋根瓦３が、上記野地板４，４上に軒先側から棟側に向けて一部を重ね合わせた状態で多段状に取り付けられている。なお、最上段の屋根瓦３は、その突起３ａを後述する棟用下地桟１０に形成された瓦桟２１ｂに係止されると共に、ビス８で該瓦桟２１ｂに固定されている。
【００１５】
上記野地板４，４の頂部即ち棟部には、上記棟用下地桟１０が取り付けられ、この棟用下地桟１０上に冠瓦１１が取り付けられている。
上記棟用下地桟１０は、図３からも明らかなように、上記冠瓦１１を取り付けるための桟本体１２と、該桟本体１２を上記野地板４，４上に固定するための左右一対の脚部材１３，１３とからなるもので、これら桟本体１２と脚部材１３，１３とが、強度や耐候性、防水性等を有する合成樹脂製や木製あるいは金属製等の材料によって形成されている。上記材料の中で好ましいのは合成樹脂であり、より好ましくは軽量で断熱性に優れる合成樹脂製発泡体であり、その中でも特に、ポリスチレンの発泡材異形押出品によって上記桟本体１２と脚部材１３，１３とを形成することが好ましい。
【００１６】
上記桟本体１２は、上記冠瓦１１を支持する山形の瓦受部１５と、該瓦受部１５の下面の相対する位置から相互に間隔を保って下向きかつ平行に延びる左右の側壁部１６，１６とを一体に有していて、全体が図２において左右対称形に形成されている。
上記瓦受部１５は、三角形の二辺のように直線的に傾斜する左右の斜面部１５ａ，１５ａと、水平な頂面部１５ｂとからなっていて、この瓦受部１５上に三角瓦である上記冠瓦１１が載置され、ビス９で固定されている。
【００１７】
また、上記側壁部１６，１６の下端面のほぼ中央位置には、円弧状をした連結用凹溝１７が桟本体１２の長さ方向に形成されている。この連結用凹溝１７は、全円周の半分より大きい優弧形の内周を有するものであることが望ましい。
なお、上記側壁部１６，１６の下端面の上記連結用凹溝１７の両側に位置する部分１６ａは、平坦面であっても良いが、外方（下方）に向けて凸形をなす曲面に形成されていることが望ましい。
【００１８】
一方、上記左右の脚部材１３，１３は、図２において互いに左右対称形をなすもので、上記桟本体１２の側壁部１６，１６に連結するための連結部２０と、上記野地板４，４の上面にビス等で固定するための固定部２１とを上下に有している。
【００１９】
上記連結部２０の上端面には、半円周より大きい外周を有する部分円柱状の連結用凸条２２が該脚部材１３，１３の長さ方向に形成されていて、該連結用凸条２２を上記連結用凹溝１７内に側壁部１６，１６の長手方向の一端側から挿入することにより嵌合させ、該連結用凹溝１７の内周の曲率中心を通る軸線を中心に回動自在とすることにより、該脚部材１３，１３が、上記桟本体１２に、上記野地板４，４の勾配に合わせて角度調整可能なるように連結されている。
この構成によって上記棟用下地桟１０は、左右の野地板４，４の勾配が互いに異なる場合であっても、屋根勾配が異なる他の建物の野地板４，４に対しても、共通に取り付けることができる。
【００２０】
また、上記固定部２１は、上記野地板４，４の頂部上面に当接する当接面２１ａを有している。一方の脚部材１３の当接面２１ａは、一方の野地板４が傾斜している方向に傾斜し、他方の脚部材１３の当接面２１ａは、他方の野地板４が傾斜している方向に傾斜しており、それらの傾斜方向は互いに逆である。そして、左右の脚部材１３，１３の固定部２１を左右の野地板４，４の上面にそれぞれビス等で固定することにより、該野地板４，４の頂部に上記棟用下地桟１０が、上記通気間隙６を跨ぐように取り付けられ、該棟用下地桟１０の内部空間２３と上記通気間隙６とが相互に連通した状態になっている。
【００２１】
上記固定部２１の先端部（下端部）上面には、上方に盛り上がった上記瓦桟２１ｂが一体に形成され、この瓦桟２１ｂに最上段の屋根瓦３の突起３ａが係止されると共に、該屋根瓦３がビス８で固定されている。
【００２２】
上記左右の脚部材１３，１３は、互いに左右対称形をなしているため、同一形状のものを２つ用意し、向きを左右反転させた状態で桟本体１２の左右の側壁部１６，１６に連結することができる。この結果、一種類の形状の脚部材１３だけを製造すれば良いため、該脚部材１３の製造が容易で取り扱いも容易になる。
しかし、上記左右の脚部材１３，１３は互いに異なる形状を有するように形成されていても良く、また、上記桟本体１２も左右非対称形に形成することができる。
【００２３】
上記棟用下地桟１０は、複数個を長さ方向に順次連結した状態で上記野地板４，４の頂部に取り付けられている。その際、図３及び図４から分かるように、上記脚部材１３，１３の長さＹを桟本体１２の長さＸより若干短く形成することにより、隣り合う棟用下地桟１０，１０の脚部材１３，１３間に上記通気間隙６に通じる隙間を形成し、この隙間を通気口２４として屋内外の換気を行うようにしている。
例えば、上記桟本体１２の長さＸを１０００ｍｍ、上記脚部材１３，１３の長さＹを９７０ｍｍとした場合、隣り合う棟用下地桟１０，１０の脚部材１３，１３間には３０ｍｍの隙間即ち通気口２４が形成されることになる。この場合、上記通気間隙６の幅Ｗは４０ｍｍ、棟用下地桟１０の内部空間２３の幅Ｈは２５ｍｍである。
【００２４】
しかし、上記桟本体１２及び脚部材１３の長さはこれ以外であっても良く、上記通気間隙６及び内部空間２３の幅もこれ以外の大きさであっても構わない。
また、上記隙間を設ける代わりに、桟本体１２の左右の側壁部１６，１６に換気に必要な大きさ及び数の孔を形成し、この孔を通気口２４としても良い。この場合、上記脚部材１３，１３は桟本体１２と同じ長さに形成される。あるいは、上記隙間と孔とを両方形成し、それらを通気口２４として併用することもできる。
【００２５】
上記瓦屋根の棟部はこのように構成されていて、棟用下地桟１０による冠瓦１１の支持構造と通気構造とが非常に簡略化されているため、その施工を簡単かつ迅速に行うことができる。特に、上記棟用下地桟１０は、冠瓦１１を支持する桟本体１２と、この桟本体１２を野地板４，４に固定するための脚部材１３，１３とにより形成されているため、部品数が非常に少なく、そのため製造や取り扱いが簡単で、施工性にも勝れ、大幅なコストダウンを図ることができるものである。
【００２６】
上記実施形態においては、上記棟用下地桟１０における桟本体１２の側壁部１６の下端面に連結用凹溝１７が形成され、脚部材１３の上端面に連結用凸条２２が形成されているが、その逆に、側壁部１６の下端面に連結用凸条２２が形成され、脚部材１３の上端面に連結用凹溝１７が形成されていても良い。
【００２７】
また、図示した実施形態では、冠瓦１１として三角瓦が使用されているため、それに合わせて棟用下地桟１０の瓦受部１５も三角形の二辺のような形に形成されているが、冠瓦１１として円弧形の丸瓦を使用する場合には、それに合わせて上記瓦受部１５も円弧形に形成される。
【符号の説明】
【００２８】
３      屋根瓦
４      野地板
６      通気間隙
１０      棟用下地桟
１１      冠瓦
１２      桟本体
１３      脚部材
１５      瓦受部
１６      側壁部
１７      連結用凹溝
２１      固定部
２１ｂ      瓦桟
２２      連結用凸条
２４      通気口
【図１】
0005411801.tif 000002
【図２】
0005411801.tif 000003
【図３】
0005411801.tif 000004
【図４】
0005411801.tif 000005